(57)【要約】【課題】質量分析装置を用いた環境汚染物質スペクトルライブラリであって、環境汚染物質の力価情報をも収載したスペクトルライブラリを提供する。前記環境汚染物質スペクトルライブラリを用いた環境汚染物質の分析方法を提供する。前記環境汚染物質スペクトルライブラリを用いた環境汚染物質を分析するためのプログラムを提供する。【解決手段】環境汚染物質のマススペクトルと、前記環境汚染物質の力価情報と、を収載した環境汚染物質マススペクトルライブラリ。前記環境汚染物質の力価情報は、例えば、エストロゲン活性（アゴニスト活性、及びアンタゴニスト活性）からなる群から選ばれる少なくとも１つである。【選択図】図２
2020139772.tif 000002
【特許請求の範囲】
【請求項１】
環境汚染物質のマススペクトルと、
前記環境汚染物質の力価情報と、
を収載した環境汚染物質マススペクトルライブラリ。
【請求項２】
前記マススペクトルが、ＭＳスペクトル及びＭＳn （ｎは２以上の整数）スペクトルからなる群から選ばれる、請求項１に記載のマススペクトルライブラリ。
【請求項３】
前記マススペクトルが、精密質量マススペクトルである、請求項１又は２に記載のマススペクトルライブラリ。
【請求項４】
前記マススペクトルが、飛行時間型質量分析装置（ＴＯＦ−ＭＳ）を含む質量分析装置を用いて取得したスペクトルである、請求項３に記載のマススペクトルライブラリ。
【請求項５】
前記マススペクトルが、イオントラップ飛行時間型質量分析装置（ＩＴ−ＴＯＦ−ＭＳ）を用いて取得したスペクトルである、請求項４に記載のマススペクトルライブラリ。
【請求項６】
前記環境汚染物質は、内分泌かく乱物質、又は毒性物質である、請求項１〜５のいずれかに記載のマススペクトルライブラリ。
【請求項７】
前記環境汚染物質の力価情報が、エストロゲン活性、アゴニスト活性、アンタゴニスト活性、及び毒性からなる群から選ばれる少なくとも１つである、請求項１〜６のいずれかに記載のマススペクトルライブラリ。
【請求項８】
さらに、前記環境汚染物質の力価情報について記載のある参照ウェブページアドレスを収載した、請求項１〜７のいずれかに記載のマススペクトルライブラリ。
【請求項９】
被検対象試料を質量分析装置により分析し、被検対象試料に含まれる物質のマススペクトルを得るステップと、
得られた前記物質のマススペクトルと、請求項１〜８のいずれかに記載のマススペクトルライブラリとの照合を行い、前記物質が前記マススペクトルライブラリに収載された環境汚染物質のいずれかであると同定するステップと、
同定された前記物質の力価情報を、前記マススペクトルライブラリから取得するステップと、
を含む被検対象試料中の環境汚染物質の分析方法。
【請求項１０】
前記マススペクトルを得るステップにおいて、被検対象試料をガスクロマトグラフ質量分析装置（ＧＣ／ＭＳ）又は液体クロマトグラフ質量分析装置（ＬＣ／ＭＳ）により分析する、請求項９に記載の分析方法。
【請求項１１】
被検対象試料中の環境汚染物質を分析するためのプログラムであって、
コンピュータに、質量分析装置により分析することにより得られた被検対象試料に含まれる物質のマススペクトルと、請求項１〜８のいずれかに記載のマススペクトルライブラリとの照合を行い、前記物質が前記マススペクトルライブラリに収載された環境汚染物質のいずれかであると同定することを実行させ、さらに、同定された前記物質の前記マススペクトルライブラリに収載された力価情報を表示することを実行させるためのプログラム。
【請求項１２】
コンピュータに、さらに、被検対象試料中に含まれており同定された環境汚染物質のリストと、同定された前記物質の力価情報とを、レポートとして出力することを実行させるための、請求項１１に記載のプログラム。
【請求項１３】
請求項１１又は１２に記載のプログラムを備えた環境汚染物質の分析システム。
【発明の詳細な説明】
【技術分野】
【０００１】
本発明は、質量分析装置を用いた環境汚染物質スペクトルライブラリに関し、より詳しくは、液体クロマトグラフ質量分析装置を用いた環境汚染物質を対象としたＭＳ、ＭＳn （ｎは２以上の整数）スペクトルを収載したスペクトルライブラリに関する。
【背景技術】
【０００２】
化合物のマススペクトル情報を収載したライブラリは、残留農薬、法医学、環境などの多くの分野において活用されている。
【０００３】
質量分析装置によりスペクトルライブラリに特徴を持たせることができ、ＧＣ／ＭＳ（ガスクロマトグラフ質量分析装置）ではＥＩ法を用いたスペクトルがメーカーを問わず広く使用されている。ＬＣ／ＭＳ（液体クロマトグラフ質量分析装置）を用いると、ＭＳ／ＭＳスペクトルのライブラリにより、そのＭＳ／ＭＳスペクトル構造情報から化合物同定を行うことができる。さらに、ＴＯＦ−ＭＳ（飛行時間型質量分析装置）を用いたライブラリでは、精密質量ＭＳスペクトルにより化合物の同定を行うことができる。ＩＴ−ＴＯＦ−ＭＳ（イオントラップ−飛行時間型質量分析装置）を用いると、ＭＳn スペクトルを取得することができるため、ＭＳn スペクトルまでをライブラリ登録することで、化合物の同定性能をより向上させることができる。
【０００４】
一方で、同定した化合物についての特性などの情報は、ライブラリに収載されないことが多く、ユーザーが別途、論文や技術書等で確認する必要がある。
【０００５】
島津製作所のＧＣ／ＭＳ異臭分析システム（非特許文献１）では、物質の臭気閾値の登録があり、被検試料の異臭の原因物質を特定する指標となっている。また、関連するデータベースとして、島津製作所のＬＣ／ＭＳ／ＭＳ薬毒物データベース（非特許文献２）、島津製作所のＬＣＭＳ−ＩＴ−ＴＯＦ糖脂質ライブラリ（非特許文献３）、国立環境研究所の化合物エストロゲン活性データ（非特許文献４）も挙げられる。
【０００６】
さらに、化学物質一覧ＣＡＳ番号（非特許文献５）、製品評価技術基盤機構の化学物質管理（非特許文献６）、日本化学物質安全・情報センターの化学物質安全・情報（非特許文献７）等も挙げられる。
【０００７】
質量分析装置を用いたマススペクトルライブラリによる試料解析方法については、例えば、特開２００９−１０９４４９号公報、特開２０１３−８８３７７号公報（そのファミリー米国公開ＵＳ２０１３／０１０３３２２号）、特開２０１７−１１１０２１号公報等に開示されている。これら特許文献に開示の試料解析方法は、本発明に組み込むことができる。
【先行技術文献】
【特許文献】
【０００８】
【特許文献１】特開２００９−１０９４４９号公報
【特許文献２】特開２０１３−８８３７７号公報
【特許文献３】米国公開ＵＳ２０１３／０１０３３２２号
【特許文献４】特開２０１７−１１１０２１号公報
【非特許文献】
【０００９】
【非特許文献１】株式会社島津製作所，ＧＣ／ＭＳ異臭分析システム，https://www.an.shimadzu.co.jp/gcms/off-flavor/
【非特許文献２】株式会社島津製作所，ＬＣ／ＭＳ／ＭＳ薬毒物データベース，https://www.an.shimadzu.co.jp/lcms/forensic_toxicology-database/index.htm
【非特許文献３】株式会社島津製作所，ＬＣＭＳ−ＩＴ−ＴＯＦ糖脂質ライブラリ，https://www.an.shimadzu.co.jp/lcms/ittof-option/glycolipid-library.htm
【非特許文献４】国立研究開発法人国立環境研究所の化合物エストロゲン活性データ，http://www.nies.go.jp/archiv-edc/estrogen/index.html
【非特許文献５】化学物質一覧ＣＡＳ番号，http://dra4.nihs.go.jp/mhlw_data/jsp/ListPage.jsp
【非特許文献６】独立行政法人製品評価技術基盤機構の化学物質管理，https://www.nite.go.jp/chem/hajimete/shirabetai.html
【非特許文献７】一般社団法人日本化学物質安全・情報センターの化学物質安全・情報，http://www.jetoc.or.jp/safe/
【発明の概要】
【発明が解決しようとする課題】
【００１０】
我々は、多くの化学物質の恩恵を受けながら生活しているが、環境を汚染する物質も存在している。環境汚染物質では、構造が類似した化合物も多いため、化合物の同定はマススペクトルライブラリを用いて正確に行う必要がある。また、同定された化合物の環境汚染に対する汚染力価については、環境汚染物質についてのマススペクトルライブラリには収載されておらず、ユーザーが別途、論文や技術書等で調べる必要があった。
【００１１】
そこで、本発明の目的は、質量分析装置を用いた環境汚染物質スペクトルライブラリであって、環境汚染物質の力価情報をも収載したスペクトルライブラリを提供することにある。また、本発明の目的は、前記環境汚染物質スペクトルライブラリを用いた環境汚染物質の分析方法を提供することにある。さらに、本発明の目的は、前記環境汚染物質スペクトルライブラリを用いた環境汚染物質を分析するためのプログラムを提供することにある。
【課題を解決するための手段】
【００１２】
本発明者らは鋭意検討した結果、環境汚染物質の力価情報をも収載したスペクトルライブラリを構築することにより、本発明を完成するに至った。
【００１３】
本発明は、以下の発明を含む。
（１）
環境汚染物質のマススペクトルと、
前記環境汚染物質の力価情報と、
を収載した環境汚染物質マススペクトルライブラリ。
【００１４】
（２）
前記マススペクトルが、ＭＳスペクトル及びＭＳn （ｎは２以上の整数）スペクトルからなる群から選ばれる、上記（１）に記載のマススペクトルライブラリ。
【００１５】
（３）
前記マススペクトルが、精密質量マススペクトルである、上記（１）又は（２）に記載のマススペクトルライブラリ。
【００１６】
（４）
前記マススペクトルが、飛行時間型質量分析装置（ＴＯＦ−ＭＳ）を含む質量分析装置を用いて取得したスペクトルである、上記（３）に記載のマススペクトルライブラリ。
【００１７】
（５）
前記マススペクトルが、イオントラップ飛行時間型質量分析装置（ＩＴ−ＴＯＦ−ＭＳ）を用いて取得したスペクトルである、上記（４）に記載のマススペクトルライブラリ。
【００１８】
（６）
前記環境汚染物質は、内分泌かく乱物質、又は毒性物質である、上記（１）〜（５）のいずれかに記載のマススペクトルライブラリ。
【００１９】
（７）
前記環境汚染物質の力価情報が、エストロゲン活性、アゴニスト活性、アンタゴニスト活性、及び毒性からなる群から選ばれる少なくとも１つである、上記（１）〜（６）のいずれかに記載のマススペクトルライブラリ。
【００２０】
（８）
さらに、前記環境汚染物質の力価情報について記載のある参照ウェブページアドレスを収載した、上記（１）〜（７）のいずれかに記載のマススペクトルライブラリ。
【００２１】
（９）
被検対象試料を質量分析装置により分析し、被検対象試料に含まれる物質のマススペクトルを得るステップと、
得られた前記物質のマススペクトルと、上記（１）〜（８）のいずれかに記載のマススペクトルライブラリとの照合を行い、前記物質が前記マススペクトルライブラリに収載された環境汚染物質のいずれかであると同定するステップと、
同定された前記物質の力価情報を、前記マススペクトルライブラリから取得するステップと、
を含む被検対象試料中の環境汚染物質の分析方法。
【００２２】
（１０）
前記マススペクトルを得るステップにおいて、被検対象試料をガスクロマトグラフ質量分析装置（ＧＣ／ＭＳ）又は液体クロマトグラフ質量分析装置（ＬＣ／ＭＳ）により分析する、上記（９）に記載の分析方法。
【００２３】
（１１）
被検対象試料中の環境汚染物質を分析するためのプログラムであって、
コンピュータに、質量分析装置により分析することにより得られた被検対象試料に含まれる物質のマススペクトルと、請求項１〜８のいずれかに記載のマススペクトルライブラリとの照合を行い、前記物質が前記マススペクトルライブラリに収載された環境汚染物質のいずれかであると同定することを実行させ、さらに、同定された前記物質の前記マススペクトルライブラリに収載された力価情報を表示することを実行させるためのプログラム。
【００２４】
（１２）
コンピュータに、さらに、被検対象試料中に含まれており同定された環境汚染物質のリストと、同定された前記物質の力価情報とを、レポートとして出力することを実行させるための、上記（１１）に記載のプログラム。
【００２５】
（１３）
上記（１１）又は（１２）に記載のプログラムを備えた環境汚染物質の分析システム。
【発明の効果】
【００２６】
本発明において、環境汚染物質マススペクトルライブラリには、環境汚染物質マススペクトルに加えて、前記環境汚染物質の力価情報が収載されている。そのため、被検対象試料中の環境汚染物質のスクリーニングを行い、環境汚染物質としてヒットした化合物について、その力価を別途調査することなく即座に力価情報を得ることができる。本発明の環境汚染物質マススペクトルライブラリは、ユーザーにとって、非常に簡便且つ有用なライブラリであり、環境汚染関連分野での有効利用が期待される。
【００２７】
本発明において、マススペクトルライブラリに収載されているマススペクトルが、精密質量マススペクトルであり、被検対象試料中の環境汚染物質を分析するに際して、精密質量マススペクトルを取得すると、被検対象試料中の環境汚染物質のより正確な同定を行うことができる。
【図面の簡単な説明】
【００２８】
【図１】図１は、本内分泌かく乱物質スペクトルライブラリにおけるTetrachlorobisphenol AのＭＳn スペクトル例を示す。ＭＳ3 スペクトルにより、高精度の化合物同定が可能となる。上段（ａ）ＭＳ1 スペクトル、中段（ｂ）ＭＳ2 スペクトル、下段（ｃ）ＭＳ3 スペクトルである。
【図２】図２は、本スペクトルライブラリの表示画面の一例（Bisphenol A についての例）を示す。
【図３】図３は、ライブラリ検索結果の表示画面の一例（Tetrachlorobisphenol A についての例）を示す。
【発明を実施するための形態】
【００２９】
本発明の環境汚染物質マススペクトルライブラリは、環境汚染物質のマススペクトルと、前記環境汚染物質に対応する力価情報と、を収載している。
【００３０】
環境汚染物質には種々の化合物が含まれる。例えば、ＮＯｘ、ＳＯｘ、ダイオキシン類、重金属類、残留性有機汚染物質等が挙げられるが、本発明では、これらの内、マススペクトル情報が同定手段として必要な有機化合物が意図される。
【００３１】
環境汚染物質には種々の化合物が含まれ、内分泌かく乱物質（いわゆる環境ホルモン）や、急性毒性や慢性毒性を示す毒性物質等が含まれる。特に、内分泌かく乱物質（いわゆる環境ホルモン）が意図される。内分泌かく乱物質とは、「環境中に存在する化学物質のうち、内分泌系に影響を及ぼすことにより、生体に障害や有害な影響を引き起こす外因性の化学物質」と定義されている。
【００３２】
内分泌かく乱物質は、生物のホルモン受容体と結合することにより、内因性のホルモンの働きを阻害し、生体に障害や有害な影響を引き起こす。特に女性ホルモン（エストロゲン）受容体と結合する化学物質の生物への影響が懸念されており、近年、そのような化学物質を分析する必要性が高まっている。
【００３３】
環境汚染物質では、有機構造が類似した化合物も多いため、化合物の同定はマススペクトルライブラリを用いて正確に行う必要がある。そのため、マススペクトルライブラリは、前記マススペクトルが、ＭＳスペクトル及びＭＳn （ｎは２以上の整数）スペクトルからなる群から選ばれるものであることが好ましく、精密質量マススペクトルであることが好ましい。
【００３４】
さらに、前記マススペクトルが、飛行時間型質量分析装置（ＴＯＦ−ＭＳ）を含む質量分析装置を用いて取得したスペクトルであることが好ましく、イオントラップ飛行時間型質量分析装置（ＩＴ−ＴＯＦ−ＭＳ）を用いて取得したスペクトルであることがより好ましい。これら質量分析装置は、ＧＣ（ガスクロマトグラフ装置）と組み合すことができ［すなわち、ＧＣ／ＭＳ（ガスクロマトグラフ質量分析装置）］、また、ＬＣ（液体クロマトグラフ装置）と組み合すことができる［すなわち、ＬＣ／ＭＳ（液体クロマトグラフ質量分析装置）］。
【００３５】
本発明の環境汚染物質マススペクトルライブラリには、環境汚染物質について、上記のようなマススペクトルが収載されている。
【００３６】
本発明の環境汚染物質マススペクトルライブラリには、前記環境汚染物質に対応する力価情報が併せて収載されている。環境汚染物質の力価情報としては、例えば、特に限定されないが、エストロゲン活性（アゴニスト活性、及びアンタゴニスト活性）、急性毒性や慢性毒性などの毒性情報などが挙げられる。これらの力価情報は、環境汚染物質の力価として特に重要なものである。
【００３７】
さらに、化合物情報として、ＣＡＳ番号、理論分子量、組成式、化審法データベース（Ｊ−ＣＨＥＣＫ）、「化学品の分類および表示に関する世界調和システム（ＧＨＳ）」等の情報が収載されていてもよい。「化学品の分類および表示に関する世界調和システム（ＧＨＳ）」とは、化学物質とその混合物について、危険有害性（ハザード）に着目した分類を行い、その結果に基づき、世界的に共通の表示を行うという国連勧告である。
【００３８】
マススペクトルライブラリに環境汚染物質の力価情報が収載されていることにより、被検対象試料中の環境汚染物質の分析スクリーニングを行い、環境汚染物質としてヒットした化合物について、その力価情報を別途調査することなく即座に得ることができる。そのため、本発明の環境汚染物質マススペクトルライブラリは、ユーザーにとって、非常に簡便且つ有用なライブラリであり、環境汚染関連分野での有効利用が期待される。さらに、本発明の環境汚染物質マススペクトルライブラリは、即時性の結果として、緊急時の利用（たとえば消防など）に対応可能であり、本発明の利点である。
【００３９】
さらに、マススペクトルライブラリに環境汚染物質の力価情報について記載のある参照ウェブページアドレスが収載されていると、ユーザーは、容易にそのウェブページを閲覧することができ、さらに詳細な化合物情報を得ることができる。
【００４０】
本発明の環境汚染物質スペクトルライブラリを用いた環境汚染物質の分析方法について説明する。
【００４１】
本発明の被検対象試料中の環境汚染物質の分析方法は、
被検対象試料を質量分析装置により分析し、被検対象試料に含まれる物質のマススペクトルを得るステップと、
得られた前記物質のマススペクトルと、上記マススペクトルライブラリとの照合を行い、前記物質が前記マススペクトルライブラリに収載された環境汚染物質のいずれかであると同定するステップと、
同定された前記物質の力価情報を、前記マススペクトルライブラリから取得するステップと、
を含む。力価情報の取得は、力価情報がすでに前記マススペクトルライブラリに収録されているため、非常に容易である。
【００４２】
前記マススペクトルを得るステップにおいて、被検対象試料をガスクロマトグラフ質量分析装置（ＧＣ／ＭＳ）又は液体クロマトグラフ質量分析装置（ＬＣ／ＭＳ）により分析すると、各試料からのより正確な分析を行うことができる。
【００４３】
被検対象試料を分析する際の質量分析装置としては、マススペクトルライブラリを構築したのと同じようなものを用いることができる。すなわち、ＭＳスペクトル及びＭＳn （ｎは２以上の整数）スペクトルが得られる質量分析装置や、精密質量分析装置が用いられる。
【００４４】
さらに、質量分析装置としては、飛行時間型質量分析装置（ＴＯＦ−ＭＳ）を含む質量分析装置、イオントラップ飛行時間型質量分析装置（ＩＴ−ＴＯＦ−ＭＳ）が好ましく用いられる。例えば、ＬＣＭＳ−ＩＴ−ＴＯＦ−ＭＳ（液体クロマトグラフ−イオントラップ飛行時間型質量分析装置が好ましく用いられる。ＩＴによるＭＳn 能力と、ＴＯＦによる高分解能・精密質量測定の能力を兼ね備え、従来型のＬＣ／ＭＳ／ＭＳでは不可能であったＭＳn における精密質量分析が可能である。
【００４５】
また、質量分析装置としては、ＭＡＬＤＩ(マトリックス支援レーザー脱離イオン化)イオン源が組み合わされたものを用いてもよい。例えば、ＭＡＬＤＩ−ＴＯＦ(マトリックス支援レーザー脱離イオン化−飛行時間) 型質量分析装置、ＭＡＬＤＩ−ＩＴ（マトリックス支援レーザー脱離イオン化−イオントラップ）型質量分析装置、ＭＡＬＤＩ−ＩＴ−ＴＯＦ（マトリックス支援レーザー脱離イオン化−イオントラップ−飛行時間）型質量分析装置、ＭＡＬＤＩ−ＦＴＩＣＲ（マトリックス支援レーザー脱離イオン化−フーリエ変換イオンサイクロトロン共鳴）型質量分析装置などが挙げられる。
【００４６】
本発明は、環境汚染物質スペクトルライブラリを用いた環境汚染物質を分析するためのプログラムにも関する。
【００４７】
本発明の被検対象試料中の環境汚染物質を分析するためのプログラムは、
コンピュータに、質量分析装置により分析することにより得られた被検対象試料に含まれる物質のマススペクトルと、上記のマススペクトルライブラリとの照合を行い、前記物質が前記マススペクトルライブラリに収載された環境汚染物質のいずれかであると同定することを実行させ、さらに、同定された前記物質の前記マススペクトルライブラリに収載された力価情報を表示することを実行させるためのプログラムである。
【００４８】
コンピュータに、さらに、被検対象試料中に含まれており同定された環境汚染物質のリストと、同定された前記物質の力価情報とを、レポートとして出力することを実行させるためのプログラムであれば、ユーザーにとって、さらに便利である。
【００４９】
本発明によれば、上記のプログラムを備えた環境汚染物質の分析システムも提供される。被検対象試料中の物質を分析するための質量分析装置、得られた前記物質のマススペクトルと、上記マススペクトルライブラリとの照合を行い、前記物質が前記マススペクトルライブラリに収載された環境汚染物質のいずれかであると同定する、又はいずれでもないと判定する判定部、同定された前記物質の力価情報を表示する表示部などから構成される。
【実施例】
【００５０】
以下に実施例を示し、本発明を具体的に説明するが、本発明は実施例に制限されるものではない。
【００５１】
エストロゲン活性データ：
本ライブラリには、国立研究開発法人国立環境研究所によって評価された７７化合物のエストロゲン活性データ（ｈＥＲα）及びそれぞれの化合物のエストロゲン活性情報をまとめた国立環境研究所のデータベースへのリンクが登録されている。エストロゲン活性試験では、酵母ツーハイブリッドシステムにより、酵母（Ｙ１９０株）にヒトエストロゲン受容体遺伝子とコアクチベーター（ＴＩＦ２）の発現プラスミド及びβ−ガラクトシダーゼ発現系レポータープラスミドを組み込んだ組み換え酵母を用いて、実施した。エストロゲン活性試験等の詳細は、国立環境研究所のホームページ（http://www.nies.go.jp/archiv-edc/estrogen/index.html）が参照される。
【００５２】
内分泌かく乱物質スペクトルライブラリ：
本内分泌かく乱物質スペクトルライブラリには、７５化合物、１９４のＭＳn スペクトルが登録されている。表１に、登録されている７７化合物と登録ＭＳn スペクトル数の一覧を示す。７７化合物の内、ＭＳ2 スペクトルまで登録されている化合物は３１種類、ＭＳ3 スペクトルまで登録されている化合物は４４種類である。
【００５３】
【表１】
2020139772.tif 000003
【００５４】
図１に、本内分泌かく乱物質スペクトルライブラリにおけるTetrachlorobisphenol A のＭＳn スペクトル例を示す。ＭＳ3 スペクトルにより、高精度の化合物同定が可能となる。上段（ａ）ＭＳ1 スペクトル、中段（ｂ）ＭＳ2 スペクトル、下段（ｃ）ＭＳ3 スペクトルである。
【００５５】
図２に、本スペクトルライブラリの表示画面の一例（Bisphenol A についての例）を示す。
【００５６】
本スペクトルライブラリには、ＭＳn スペクトル以外の情報として、図２に示すようなＣＡＳ番号、理論分子量、組成式等の情報も登録されている。また、国立環境研究所によって評価されたエストロゲン活性データ及び国立環境研究所のデータベースへのリンクも登録されている。
【００５７】
図２の表示画面において、上から第２段において、Bisphenol A がヒットしたことが示され、第３段において、Bisphenol A のマススペクトルが表示され、第４弾の左カラムには、Bisphenol A のＣＡＳ番号、理論分子量、組成式等の情報が表示され、化合物情報として、国立環境研究所によって評価されたエストロゲン活性データ及び国立環境研究所のデータベースへのリンクが表示されている。このリンクにアクセスすることにより、さらに詳細なデータを画面に表示させることができる。
【００５８】
ライブラリ検索機能を使用することで、検出された化学物質のＭＳn スペクトルの情報と登録されているＭＳn スペクトルの情報から、化合物を同定することが可能となる。図３は、ライブラリ検索結果の表示画面の一例（Tetrachlorobisphenol A についての例）を示す。
【００５９】
図３では、検出された化学物質のＭＳ3 スペクトルからライブラリ検索機能を利用し、Tetrachlorobisphenol A を同定した結果を示す。ＭＳ3 スペクトルを利用することで、ＭＳ／ＭＳ分析よりも高精度な同定が可能となる。また、図３の表示画面において、上段カラムには、Tetrachlorobisphenol A の国立環境研究所のデータベースへのリンクが表示されている。このリンクにアクセスすることにより、さらに詳細なデータを画面に表示させることができる。
【００６０】
このように、同定された化合物の化合物情報から、内分泌かく乱物質のエストロゲン活性データと化学物質の詳細情報を迅速に確認することができる。
【００６１】
ＭＳn における高分解能・精密質量測定が可能なＬＣＭＳ−ＩＴ−ＴＯＦとエストロゲン活性をもつ内分泌かく乱物質のスペクトルライブラリを使用することで、簡便かつ高精度にエストロゲン活性をもつ内分泌かく乱物質の同定が可能となる。また、同定された内分泌かく乱物質の化合物情報から、内分泌かく乱物質のエストロゲン活性データや化学物質の詳細情報を迅速に確認することができる。
【図１】
2020139772.tif 000004
【図２】
2020139772.tif 000005
【図３】
2020139772.tif 000006